(57)【要約】      （修正有）【課題】撮像装置の前方及び後方を同時に撮像し、撮像した２つの画像を同一画像に合成することにより、使用上の融通性及び娯楽性を高めることができる撮像装置を提供する。【解決手段】撮像装置１は、本体１１と、本体１１に装着され、前方を撮像する前方撮像ユニット１２と、本体１１に装着される画像表示ユニット１３と、本体１１又は画像表示ユニット１３に装着され、後方を撮像する後方撮像ユニット１４と、本体１１に装着され、画像を保存するメモリユニットと、本体１１に装着される電源供給ユニットと、本体１１に装着される上、前方撮像ユニット１２、画像表示ユニット１３、後方撮像ユニット１４、メモリユニット及び電源供給ユニットと電気的に接続され、前方撮像ユニット１２及び後方撮像ユニット１４が撮像した画像を合成する画像合成処理モジュールを有する処理ユニットとを備える。【選択図】図２
0003164626.tif 000002
【実用新案登録請求の範囲】
【請求項１】
本体と、
前記本体に装着され、前方を撮像する前方撮像ユニットと、
前記本体に装着される画像表示ユニットと、
前記本体又は前記画像表示ユニットに装着され、後方を撮像する後方撮像ユニットと、
前記本体に装着され、画像を保存するメモリユニットと、
前記本体に装着される電源供給ユニットと、
前記本体に装着される上、前記前方撮像ユニット、前記画像表示ユニット、前記後方撮像ユニット、前記メモリユニット及び前記電源供給ユニットと電気的に接続され、前記前方撮像ユニット及び前記後方撮像ユニットが撮像した画像を合成する画像合成処理モジュールを有する処理ユニットと、を備えることを特徴とする撮像装置。
【請求項２】
前記前方撮像ユニットは、前記本体の前方に装着され、
前記後方撮像ユニットは、前記本体の後方に装着されることを特徴とする請求項１に記載の撮像装置。
【請求項３】
前記本体に装着され、前記処理ユニットと電気的に接続される音声出入力ユニットをさらに備えることを特徴とする請求項１に記載の撮像装置。
【請求項４】
デジタルビデオカメラ又はデジタルカメラであることを特徴とする請求項１に記載の撮像装置。
【考案の詳細な説明】
【技術分野】
【０００１】
本考案は、撮像装置に関し、特に、撮像装置の前方及び後方を同時に撮像し、撮像した２つの画像を同一画像（即ち、１つの画像）に合成することにより、使用上の融通性及び娯楽性を高めることができる撮像装置に関する。
【背景技術】
【０００２】
日常生活において、人々は、頻繁にデジタルビデオカメラ、デジタルカメラなどの撮像装置を使用して風景又は人物を撮像して記録し、後日、鑑賞して楽しんでいる。
【０００３】
従来のデジタルビデオカメラ及びデジタルカメラは、１つの撮像器（撮像レンズ）を有し、撮像したい風景又は人物の方向へ撮像器を向けて撮像する。さらに、撮像した後、撮像した風景又は人物を表示することができる。
【０００４】
しかし、この種の従来の撮像方式は、単調であり、使用上の融通性が低い。例えば、撮影者が上述の撮像装置を使用して撮像する際、撮像した画像に撮影者を取り込むことができない。即ち、撮影者自身を含む画像を撮像したい場合、まず、撮影者自身が撮像したい景色内に入ってから、他人に撮像してもらわなければならない。しかし、撮影者が１人の場合、使用上不便である。さらに、上述の撮像方式には、娯楽性がない。
【０００５】
そのため、撮像装置の前方及び後方を同時に撮像し、２つの画像を同一画像に合成することにより、使用上の融通性及び娯楽性を高める撮像装置が求められていた。
【考案の概要】
【考案が解決しようとする課題】
【０００６】
本考案の主な目的は、撮像装置の前方及び後方に配置された撮像ユニットにより、撮像装置の前方及び後方を撮像し、画像合成処理モジュールが撮像した前方及び後方の画像を同一画像に合成することにより、使用上の融通性及び娯楽性を高めることができる撮像装置を提供することにある。
【課題を解決するための手段】
【０００７】
上記課題を解決するために、本考案の第１の形態によれば、本体と、前記本体に装着され、前方を撮像する前方撮像ユニットと、前記本体に装着される画像表示ユニットと、前記本体又は前記画像表示ユニットに装着され、後方を撮像する後方撮像ユニットと、前記本体に装着され、画像を保存するメモリユニットと、前記本体に装着される電源供給ユニットと、前記本体に装着される上、前記前方撮像ユニット、前記画像表示ユニット、前記後方撮像ユニット、前記メモリユニット及び前記電源供給ユニットと電気的に接続され、前記前方撮像ユニット及び前記後方撮像ユニットが撮像した画像を合成する画像合成処理モジュールを有する処理ユニットと、を備えることを特徴とする撮像装置が提供される。
【０００８】
また、前記前方撮像ユニットは、前記本体の前方に装着され、前記後方撮像ユニットは、前記本体の後方に装着されることが好ましい。
【０００９】
また、前記本体に装着され、前記処理ユニットと電気的に接続される音声出入力ユニットをさらに備えることが好ましい。
【００１０】
また、前記撮像装置は、デジタルビデオカメラ又はデジタルカメラであることが好ましい。
【考案の効果】
【００１１】
本体に配置された前方撮像ユニット及び後方撮像ユニットにより、撮像装置の前方及び後方を撮像することができる。例えば、本体前方を向く前方撮像ユニットが景色の画像を撮像し、本体後方を向く後方撮像ユニットにより、撮像装置を使用している撮影者の画像を撮像する。その後、処理ユニットの画像合成処理モジュールにより、前述の景色の画像と撮影者の画像とを同一画像に合成することにより、撮像した景色の画像中に撮影者を取り込むことができる。さらに、前述の合成した後の画像は、メモリユニットに保存することができる上、画像表示ユニットに表示することができる。
【００１２】
即ち、撮像装置の前方及び後方に配置された撮像ユニットにより撮像装置の前方及び後方を撮像し、画像合成処理モジュールにより撮像した前方及び後方の画像を同一画像に合成することにより、使用上の融通性及び娯楽性を高めることができる。
【図面の簡単な説明】
【００１３】
【図１】本考案の第１実施形態による撮像装置のシステム構造を示すブロック図である。
【図２】本考案の第１実施形態による撮像装置を示す斜視図である。
【図３】本考案の第１実施形態による撮像装置の使用状態を示す斜視図である。
【図４】本考案の第１実施形態による撮像装置の使用状態を示す斜視図である。
【図５】本考案の第２実施形態による撮像装置を示す斜視図である。
【図６】本考案の第３実施形態による撮像装置を示す斜視図である。
【考案を実施するための形態】
【００１４】
以下、本考案の実施形態について図に基づいて説明する。なお、これによって本考案が限定されるものではない。
【００１５】
（第１実施形態）
図１及び図２を参照する。図１及び図２に示すように、本考案の第１実施形態による撮像装置１は、デジタルビデオカメラである。本実施形態による撮像装置１は、本体１１、前方撮像ユニット１２、画像表示ユニット１３、後方撮像ユニット１４、メモリユニット１５、処理ユニット１６及び電源供給ユニット１７を含む。
【００１６】
図１及び図２に示すように、前方撮像ユニット１２は、本体１１に装着され、前方を撮像する。画像表示ユニット１３は、本体１１に装着される（例えば、本体１１に枢着される）。後方撮像ユニット１４は、本体１１に装着され、後方を撮像する。メモリユニット１５は、本体１１に装着され、画像を保存する。電源供給ユニット１７は、本体１１に装着される。処理ユニット１６は、本体１１に装着される上、前方撮像ユニット１２、画像表示ユニット１３、後方撮像ユニット１４、メモリユニット１５及び電源供給ユニット１７と電気的に接続される。処理ユニット１６は、前方撮像ユニット１２及び後方撮像ユニット１４が撮像した画像を合成する画像合成処理モジュール１６１を有する。
【００１７】
上述の前方撮像ユニット１２は、本体１１の前方に装着し、前方を撮像することができる。上述の後方撮像ユニット１４は、本体１１の後方に装着し、後方を撮像することができる。
【００１８】
上述の前方撮像ユニット１２及び後方撮像ユニット１４は、一般の撮像レンズ（例えば、ＣＭＯＳ又はＣＣＤ）でもよい。画像表示ユニット１３は、一般のディスプレイからなり、本体１１の側面に枢着されて本体１１から起こして開いたり、本体１１の背面に直接装着したりしてもよい。電源供給ユニット１７は、電池（図示せず）でもよいし、一般の外付け電源ライン（図示せず）でもよい。
【００１９】
また、本実施形態において、上述の撮像装置１は、音声出入力ユニット１８をさらに含む。この音声出入力ユニット１８は、本体１１に装着される上、処理ユニット１６と電気的に接続される。
【００２０】
図１〜図４を参照する。図１〜図４に示すように、本実施形態による撮像装置１を使用するとき、撮影者２は、撮像装置１（デジタルビデオカメラ）を手で持ち、本体１１前方の前方撮像ユニット１２を撮像したい景色３に向ける。その際、本体１１後方の後方撮像ユニット１４が同時に撮影者２に向けられる。そのため、前方撮像ユニット１２により景色画像３１を撮像し、後方撮像ユニット１４により撮影者画像２１を撮像することができる。その後、処理ユニット１６の画像合成処理モジュール１６１を使用することにより、前述の景色画像３１と撮影者画像２１とを同一画像４（例えば、親子画面表示）に合成することができる。この同一画像４は、メモリユニット１５に保存することができる上、画像表示ユニット１３に表示することができる。
【００２１】
上述したことから分かるように、本体１１に前方撮像ユニット１２及び後方撮像ユニット１４が配置されることにより、撮像装置１の前方及び後方の画像（例えば、図４に示す景色画像３１及び撮影者画像２１）を撮像することができる。その後、処理ユニット１６の画像合成処理モジュール１６１により、前述の景色画像３１と撮影者画像２１とを同一画像４に合成することにより、撮影者２を景色画像３１中に取り込むことができる。
【００２２】
即ち、上述の構造により、撮像装置１の前方及び後方を同時に撮影することができる上、撮像した各画像を同一画像に合成することができる。これにより、使用上の融通性及び娯楽性を高めることができる。
【００２３】
また、撮像装置１を使用するとき、本体１１に装着された音声出入力ユニット１８により、音声の録音及び再生を行うことができる。
【００２４】
（第２実施形態）
図５を参照する。図５に示すように、本考案の第２実施形態の主要構造は、上述の第１実施形態と略同一であるが、後方撮像ユニット５１が画像表示ユニット５２に装着されて本体５３の後方を向く点が異なる。しかし、第２実施形態による撮像装置１は、上述の第１実施形態と同様の各種機能を有する。
【００２５】
（第３実施形態）
図６を参照する。図６に示すように、本考案の第３実施形態の主要構造は、上述の第１実施形態と略同一であるが、撮像装置６がデジタルカメラである点が異なる。しかし、第２実施形態による撮像装置１は、上述の第１実施形態と同様の各種機能を有する。
即ち、撮像装置の前方及び後方に配置された撮像ユニットにより撮像装置の前方及び後方を撮像し、画像合成処理モジュールにより撮像した前方及び後方の画像を同一画像に合成することにより、使用上の融通性及び娯楽性を高めることができる。
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  撮像装置
２  撮影者
３  景色
４  同一画像
６  撮像装置
１１  本体
１２  前方撮像ユニット
１３  画像表示ユニット
１４  後方撮像ユニット
１５  メモリユニット
１６  処理ユニット
１７  電源供給ユニット
１８  音声出入力ユニット
２１  撮影者画像
３１  景色画像
５１  後方撮像ユニット
５２  画像表示ユニット
５３  本体
１６１  画像合成処理モジュール
【図１】
0003164626.tif 000003
【図２】
0003164626.tif 000004
【図３】
0003164626.tif 000005
【図４】
0003164626.tif 000006
【図５】
0003164626.tif 000007
【図６】
0003164626.tif 000008